(57)【要約】布アンテナの選択的な遮蔽のための方法及び装置は、布アンテナ（１２）を着用可能な衣服（３０）に組み込み、衣服の着用者に衣服の本体の一部（２２、２４）を選択的に移動させてアンテナをアクティブ又は非アクティブにすることを可能にしながら着用者に保護を与える。衣服の着用者を、アンテナの使用時に発生し得るＲＦ電界から保護するために、金属布遮蔽層が、衣服の本体において、アンテナと着用者の体の間に位置付けられる。保護布層に取り付けられるもう１つの金属遮蔽布層は、衣服本体の移動可能な層として形成される。本発明の開示する実施例は、移動可能な層を、袖口の折り畳み可能なカフス、肩章、装飾的なポケット状の折り蓋、及び偽の継ぎ目の形で示す。これらの移動可能な層のいずれもが、「アクティブ」又は「非アクティブ」のいずれか、又は両方に、スナップ留め具、ジッパー、ボタン、及びフック並びにループ留め具を含む周知の保持装置によって保持され得る。１つの実施例では、衣服の構造における固有の張力に依存して、遮蔽層を、布アンテナ面が露出される「アクティブ」位置に維持し、また、衣服の構造の張力に部分的に分離可能なジッパー装置が逆らい遮蔽層を「非アクティブアンテナ」位置に保持する。
2005523599.tif 000002
【特許請求の範囲】
【請求項１】
選択的に遮蔽可能な布アンテナが組込まれる衣服であって、
内側と外側によって特徴付けられる着用可能な衣服を形作る布製衣服本体構造と、
前記布本体構造の前記外側に向かって前記布本体構造の表面積の一部に重なり、所与の実効表面積を有する布アンテナ素子と、
前記布アンテナ素子の外側に向かって前記布アンテナ素子に重なるよう位置付けられる金属布アンテナ遮蔽層と、
前記金属布アンテナ遮蔽層の外側において前記金属布アンテナ遮蔽層に取り付けられる布裏支持層と、
を有し、
前記布裏支持及び前記取り付けられた金属布アンテナ遮蔽層は、前記布アンテナ素子の前記所与の実効表面積が前記遮蔽層によって全体的に覆われる第１の位置と、前記布アンテナ素子の前記実効表面積の少なくとも一部が、アンテナとしてのアクティブ使用のために前記衣服素子の前記外側において露出される第２の位置との間で、少なくとも部分的に移動可能である、衣服。
【請求項２】
前記布裏支持及び前記取り付けられた金属布アンテナ遮蔽層は、前記布アンテナ素子の前記所与の実効表面積が前記遮蔽層によって全体的に覆われる第１の位置と、前記布アンテナ素子の前記実効表面積の少なくとも一部が、アンテナとしてのアクティブ使用のために前記衣服の前記外側に露出される第２の位置との間で、少なくとも部分的に移動可能である請求項１記載の選択的に遮蔽可能な布アンテナが組込まれた衣服。
【請求項３】
前記衣服本体及び前記布裏支持に取り付けられ、前記布裏シート及び前記関連付けられる遮蔽層を、選択的に前記第１の位置及び前記第２の位置に、別個に留める分離可能な留め具素子を更に有する請求項２記載の選択的に遮蔽可能な布アンテナが組込まれた衣服。
【請求項４】
前記遮蔽層を前記アンテナ層から離すために、前記裏支持から離れた側の前記アンテナ遮蔽層に重ねられる保護布層を更に有する請求項２記載の選択的に遮蔽可能な布アンテナが組込まれた衣服。
【請求項５】
前記布裏支持層及び前記遮蔽層は、前記衣服本体の肩の付近に肩章の形で取り付けられ、
前記肩章は、一体式ヒンジについて折り畳み可能である前記支持層の一部を有する請求項１乃至４のうちいずれか一項記載の選択的に遮蔽可能な布アンテナが組込まれた衣服。
【請求項６】
前記アンテナ素子は、前記衣服の袖と前記衣服の前部との接合部において、前記衣服の前記外側にある偽の継ぎ目の下に位置付けられ、
前記衣服は更に、裏支持層を前記アンテナに対し重なり合う関係及び重なり合わない関係に動かすよう前記継ぎ目を開閉するジッパー留め具を有する請求項１記載の選択的に遮蔽可能な布アンテナが組込まれた衣服。
【請求項７】
前記アンテナ素子は、袖の自由端におけるカフスのように前記衣服本体に取り付けられ、
前記布裏支持層は、前記アンテナの外側に移動可能な同軸外側カフス形状を有し、
前記支持層は、前記カフス形状の一端において前記本体の前記袖に取り付けられ、また、前記アンテナ素子及び重なり合う関係及び重なり合わない関係に、反転させることによって移動可能であり、
前記金属布アンテナ遮蔽層は、前記カフス形状が前記アンテナ素子と重なり合う関係にあるときに、前記アンテナ素子に対向し重なり合うよう前記カフス形状の内面に取り付けられる請求項１記載の選択的に遮蔽可能な布アンテナが組込まれた衣服。
【請求項８】
前記布アンテナ素子と略同じ広がりを有する着用者の体を保護するＲＦ遮蔽層を更に有し、
前記体を保護するＲＦ遮蔽層は、前記アンテナ素子と前記衣服の着用者の体との間に配置されるよう前記衣服本体上に位置付けられる請求項１乃至７のうち一項以上に記載される選択的に遮蔽可能な布アンテナが組込まれた衣服。
【請求項９】
衣服用の選択的に遮蔽可能なタグアンテナシステムであって、
内側と外側によって特徴付けられる本体部材を有する着用可能な衣服と、
前記本体部材に組込まれる所与の表面積を有する布アンテナと、
アンテナ遮蔽層が前記アンテナの前記所与の表面積に重なり合う第１の位置と、前記アンテナの表面積が前記本体部材の外側に略露出される第２の位置との間の選択的な移動のために前記本体部材に可動に結合される移動可能なアンテナ遮蔽層と、
を有するシステム。
【請求項１０】
前記移動可能な遮蔽層は、前記遮蔽層が前記第１の位置に配置されるときに、前記アンテナと前記遮蔽層との間に配置される第１の保護層を更に有する請求項９記載の選択的に遮蔽可能な布アンテナが組込まれた衣服。
【請求項１１】
内側と外側を有する衣服に取り付けられるアンテナに関連付けられる電磁界を制御する方法であって、
前記アンテナの前記外側と重なり合う関係に電磁気遮蔽層を位置付ける段階と、
前記衣服に対して移動可能であるよう前記衣服に前記遮蔽層を取り付ける段階と、
前記アンテナが電磁気放射を送受信することを可能にするよう前記アンテナと重なり合う関係から前記遮蔽層を移動させる段階と、
前記アンテナを動作不能にするために前記アンテナと重なり合う関係に前記遮蔽層を戻す段階と、
を有する方法。
【請求項１２】
前記遮蔽層が、前記アンテナと重なり合う関係に位置付けられるときに、前記アンテナと前記遮蔽層との間に保護層を配置する段階と、
前記保護層を前記遮蔽層に取り付ける段階と、
を更に有する請求項１１記載の方法。
【発明の詳細な説明】
【技術分野】
【０００１】
本発明は、一般的に、布アンテナに関り、より具体的には、必要な場合に又は所望される場合に、布アンテナを動作不能にするための布アンテナの選択的遮蔽に係る。
【背景技術】
【０００２】
布に組込まれ、且つ、無線周波数信号の送受信に用いられる電子信号アンテナは、知られており、かねてから用いられている。このようなアンテナは、衣料品に組込まれて、その衣料品を小売販売の保護におけるようにマーク付け（追跡）し、また、その衣料品の着用者の付近における又はその着用者に直接的に影響を与える内部的及び外部的状況を監視する。
【０００３】
しかし、このタイプの現行の従来技術のアンテナ、及び、特に、衣料品に関連付けられる「タグ」アンテナは、一般的に、アンテナのアクティブ又は非アクティブ状態を選択又は制御することを装着者に可能にせず、また、その衣料品の着用者に対しＲＦ信号からの保護を提供しない。この点について、特定の用途において、敏感な着用者をＲＦ信号に不必要に晒されることから保護し、また、同じ又は他の用途において、事故又は誤解につながり得る意図しない信号の送受信を回避するようアンテナを非アクティブにすることが望ましい。特定のアンテナ、特に、「タグ」アンテナは、その固有の設計要件に起因し得る理由から「オンオフ」スイッチが組込まれないが、それでも、そのアンテナが制御されることが望ましい状況がしばしば見受けられる。
【発明の開示】
【発明が解決しようとする課題】
【０００４】
従って、本発明は、衣料品によって運ばれるＲＦアンテナを選択的にアクティブ又は非アクティブにする方法及び装置を提供する。更に、本発明は、ＲＦ信号の不必要な露出からの衣料品によって運ばれるＲＦアンテナの着用者に対する保護を提供する。
【課題を解決するための手段】
【０００５】
本発明に開示する実施例では、布アンテナは、コート、ジャケット、及びシャツといった衣料品内に、１つのタイプの布で電界遮蔽を、また、別のタイプの布でＲＦ遮蔽を与える様々な布の隣接層に関連付けられて組込まれる。両方のタイプの布は、着用可能な衣服の構造に直接組込まれる。
【０００６】
第１の遮蔽布の層は、アンテナ層と着用者の体の間にある位置にて、衣服の中に組込まれ、それにより、着用者をアンテナのＲＦ電界への露出から保護する。
【０００７】
この遮蔽布の層は、一般的に、衣服の構造的な一部で、衣服の残りの部分に対し動かないように作られることが可能であり、というのは、人体を、医療使用を特に意図する以外は、衣服によって運ばれるアンテナのＲＦ信号電界に晒す必要が必ずしもない又は必ずしも所望されないからである。
【０００８】
第２の遮蔽布の層は、アンテナと外側環境との間で、信号の送信及び／又は受信から遮蔽するようアンテナを覆うか、又は、アンテナを通常の使用のために露出するか、選択的に移動可能となるよう位置付けられる。
【０００９】
本発明の特徴は、移動可能な布層を、その遮蔽機能とは独立して、装飾的及び機能的目的を果たす衣服の一部に組込むことである。
【００１０】
本発明の別の特徴は、移動可能な布素子を、関連のアンテナのアクティブ及び非アクティブ状態のいずれか又は両方に対応する位置に保持する保持手段があることである。
【００１１】
本発明の少なくとも１つの開示する実施例によると、遮蔽布層は、その「非アクティブ」位置に、動かされ且つ肯定的に保持されるまで「アクティブアンテナ」位置に自然に置かれる。
【発明を実施するための最良の形態】
【００１２】
本発明のこれらの及び他の特徴及び利点は、添付図面と共に考慮される以下の明細書を参照することによって、当業者にはより明らかとなろう。
【００１３】
以下の説明において、構成、比較的重要でない機能的構成要素、及び技術等の開示される実施例の特定の詳細は、現在の技術において周知であり、制限ではなく説明目的のために本願に記載し、それにより、本発明の明確且つ完全な理解を与えるものとする。当業者は、本発明は、本願に記載する詳細に正確には一致しない他の実施例においても、本開示の精神及び範囲から顕著に逸脱することなく実施し得ることを容易に理解するであろう。更に、このコンテキストにおいて、また、簡潔さ及び明確さのために、周知の装置、機械的構成要素、及び方法論の詳細な説明は、不必要な詳細及び可能な混乱を避けるために省略してある。
【００１４】
図５を参照するに、一般的に別個の布層１６によって支持され且つ保護される布アンテナ層１２を有し、本発明に従って構成される衣服の例示的な本体部１０を示す。別個の支持層１６は、一般的に、アンテナ層１２と着用者の体の間に配置されるが、他の構成も可能であることは明らかであろう。支持布層１６のアンテナ層１２とは反対側には、布アンテナ層１２と略同じ広がりを有する人体保護ＲＦ遮蔽層１８が、もう１つの支持／保護布裏層２０上に支持される。本発明による衣服の任意の実施例に組込まれる場合、層１８は、常に、アンテナ層１２の領域と、衣服の着用者の体との間に配置され、それにより、着用者の体の表面を、衣服によって運ばれるアンテナの動作の結果生成される電界及び／又は電磁気ＲＦ信号電界から保護する。裏布層２４によって支持されるアンテナアクティブ／非アクティブ遮蔽層２２は、アンテナ１２の体遮蔽層１８とは反対側に配置される。アクティブ／非アクティブ遮蔽層２２は、更に、アンテナ層１２と遮蔽層２２との間の直接的な金属接触を回避するよう追加の保護層１４によって覆われ且つ保護される。保護層１４は、遮蔽層２２の面に直接的に取り付けられることが好適であり、それにより、アンテナ層１２の露出面の動作は妨げられないことが可能となる。
【００１５】
本開示の以下の部分において、図示する衣服の実施例に関連して、多くの衣服において、本体部１０の層１２、１４、１６、１８、及び２０は、互いに且つ関連の衣服の本体部構造に対して固定され、ＲＦ遮蔽層２２及びその保護裏布層１４、２４は、通常、互いに一体に関連付けられるが、層１２、１６、１８、及び２０の合成物に対しては、共に移動可能であることを明らかにする。この構造の理由及び重要性は、以下に開示する。
【００１６】
図１を参照するに、本体部１０を有するシャツ状衣服３０は、本体部１０の布層１６に取り付けられるアンテナ層１２を有する。衣服３０は、全ての衣服がそうであるように、外側３２と内側３４によって特徴付けられる。アンテナ１２は、ＲＦアンテナとして動作するアンテナの表面部を画成する所与の実効表面積３６を有する。アンテナの当業者は、実効表面積３６は、布アンテナ素子１２の全表面積と等しいか又は全表面積よりも小さい場合があるが、同時に、実効表面積は、本発明の目的のために関心事であることは明らかであろう。
【００１７】
本発明では、金属布アンテナ遮蔽層２２と取り付けられた布支持シート１４、２４の合成物は、布アンテナ素子の所与の実効表面積がこの遮蔽層によって覆われる第１の位置（図示せず）と、図１に示すように、アンテナとしてのアクティブ使用のために、布アンテナ素子の実効表面積の少なくとも一部が衣服の外側で露出される第２の位置３８との間で、少なくとも部分的に移動可能である。図１に示すように、スナップ式留め具３１、３３、３５が、布シーツ２４及び衣服３４の本体部１０に取り付けられ、それにより、遮蔽層２２を、アンテナ１２の表面３６に対して所望の位置に保持する。図１では、シート２４は、第１の位置と第２の位置の略中間に示す。留め具素子３１は、シート２４の隅に取り付けられ、それにより、このシートは、２つの係合留め具部３３及び３５のいずれかに係合し得るようにされる。シート１４、２４と遮蔽層２２の固有の弾力性によって、それらが、スナップ式留め具３１が係合留め具部３３と係合し衣服３０の外側でアンテナ表面３６を露出する第１の「アンテナアクティブ」位置から移動されることを可能にする。「アンテナ非アクティブ」位置であるシート２４の第２の位置では、留め具部３１は、係合留め具部３５に係合し、シート２４の隅を「アンテナ非アクティブ」位置に固定するよう位置付けられ、アンテナ表面３６は、遮蔽層２２及び布裏シート２４によって完全に覆われる。このようにして、スナップ式留め具又は任意の好適な周知の別個の留め具装置を用いて、遮蔽層２２を有するシート２４は、衣服３０の構造又は使用に影響を与えることなく、「アンテナアクティブ」位置と「アンテナ非アクティブ」位置との間のいずれかに、選択的に、動かされまた固定され得る。
【００１８】
図２Ａに示す衣服の実施例では、図２Ｂ及び図２Ｃに主に明らかに示すアンテナ素子１１２は、衣服本体部１１０の外面上に取り付けられ、布裏層１２４に取り付けられる移動可能な遮蔽層１２２によって選択的に遮蔽される。本発明のこの実施例では、遮蔽層１２２及び裏シート１２４は共に、衣服３０の肩の上に配置される肩章１１３の形を取る。図２Ａ、２Ｂ、及び２Ｃのそれぞれに示すように、肩章１１３は、利便性と感じの良い外観のために作られ、それにより、実効アンテナ表面積１３６は、肩章１１３によって画成される表面積の略半分を有する。シート１２４は、一体式布ヒンジ継手１１７によって本体部１１０に結合される。このようにして、シート１２４及び遮蔽層１２２と遮蔽層面上の任意の保護カバーシートは、ヒンジ１１７において折られ、それにより、それらを、図２Ａに示す「アンテナ非アクティブ」位置から、図２Ｃに示す「アンテナアクティブ」位置に動かす。シート１２４及び遮蔽層１２２と遮蔽層面上の任意の保護カバーシートは、肩章の第１の半分上のアンテナの全表面積を覆う位置から、肩章の残りの第２の半分をのみを覆う位置に移動させられる。このようにして、利便性、機能、及び外観が、再び感じの良い且つ機能的な方法で合わせられて、アンテナ１１２を選択的に遮蔽する。尚、折り蓋状シート１２４は、以下に制限されないが、ボタン、スナップ、タイ、及びフック、また、ベルクロ（商標）といったループ留め具を含む任意の好適な及び便利な留め具／固定手段によって、上述したように、「アクティブ」又は「非アクティブ」位置に保持され得る。
【００１９】
図３Ａ及び３Ｂの実施例では、アンテナ素子２１２は、衣服２３０の袖と前部との接合部と一致するようにされた偽の継ぎ目２１５の背後の衣服２３０の本体部２１０に取り付けられる。当業者は、このような偽の服の継ぎ目は、当該技術において周知であり、装飾的な目的のために従来から用いられていることを認識するであろう。本発明の目的のために、服の本体部２１０は、継ぎ目２１５の片側又は両側上に追加の布層２２４が取り付けられ、ジッパー留め具２３１が、継ぎ目が、「アンテナアクティブ」位置となるよう開かれるか、又は、「アンテナ非アクティブ」位置となるよう閉じられることが可能であるよう継ぎ目の線に沿って位置付けられる。この点に関して、布層２２４は、図面には示さないが、その下に遮蔽層２２２が取り付けられ、それにより、アンテナ２１２のアンテナ表面積２３６を、ジッパー留め具２３１が閉じられて布層２２４をアンテナ表面積と重なる関係にするときに、非アクティブにすることを認識することが可能である。ジッパー２３１が開けられると、衣服製造の当業者には周知であるように、衣服における固有の布張力に依存して布２２４を、アンテナ表面２３６を露出する開位置に動かす。
【００２０】
図４Ａ、図４Ｂ、及び図４Ｃに示す本発明の実施例を参照するに、シャツ状の衣服３３０には、袖の自由端においてカフスとして衣服の本体部３１０に取り付けられるアンテナ素子３１２が設けられる。アンテナ３１２の外側に移動可能な同軸外側カフス３２４が、カフスの１つの端において本体部３１０の袖に取り付けられ、また、内側遮蔽層３２２を有する。使用時には、カフス３２４は、カフスを反転する（カフスを「裏返しに」ひっくり返す）ことによって、図４Ａ及び４Ｂにおいて３２４Ａに示す伸長された又は「アンテナ非アクティブ」位置から、図４Ａ及び４Ｃにおいて３２４Ｂに示す捲り上げた又は「アンテナアクティブ」位置に移動させられる。
【００２１】
従って、本願に開示した本発明の各実施例において、衣服によって運ばれる布アンテナは、外観において感じがよく並びに機能的である衣服の関連付けられる一部の単純な取り扱いによって、選択的に遮蔽されることを示した。図５に示す構造に関する最初の意見に従って、人体を保護するＲＦ遮蔽層１８は、本発明に応じて作った衣服の任意の実施例に、開示した実施例の本質に適切且つ適当な方法で組込まれ得、また、その任意の変形は、当業者には、上述の開示内容から明らかであろう。
【００２２】
更に、本願及び特許請求の範囲に用いる参照番号に言及するに、理解の明快さと完全さのために、二桁の参照番号及び２００、３００、及び４００代における対応する三桁の参照番号は、完全に等価であり、請求項において交換可能であるものとして見なすべきものであることを認識するものである。
【００２３】
本発明の方法及び装置の様々な好適な実施例を図示し説明したが、当業者は、様々な他の形式及び実施例を、本願に開示し特許請求の範囲に記載する本発明の精神及び範囲から顕著に逸脱することなく容易に考え出し得ることを認識するであろう。
【図面の簡単な説明】
【００２４】
【図１】本発明の１つの実施例に応じて移動可能な遮断層が組込まれたシャツ状の衣服を示す単純化された図である。
【図２Ａ】本発明に応じて移動可能な遮断層が組込まれたシャツ状の衣服の別の実施例を示す単純化図である。
【図２Ｂ】本発明に応じて移動可能な遮断層が組込まれたシャツ状の衣服の別の実施例を示す単純化図である。
【図２Ｃ】本発明に応じて移動可能な遮断層が組込まれたシャツ状の衣服の別の実施例を示す単純化図である。
【図３Ａ】本発明に応じて一体式アンテナのために選択的に移動可能な遮蔽層が組込まれたシャツ状の衣服の更に別の実施例を示す単純化図である。
【図３Ｂ】本発明に応じて一体式アンテナのために選択的に移動可能な遮蔽層が組込まれたシャツ状の衣服の更に別の実施例を示す単純化図である。
【図４Ａ】アンテナと移動可能な遮蔽層を有し、従って、移動可能な遮蔽層が衣服の袖に組込まれたシャツ状の衣服の更なる実施例を示す単純化図である。
【図４Ｂ】アンテナと移動可能な遮蔽層を有し、従って、移動可能な遮蔽層が衣服の袖に組込まれたシャツ状の衣服の更なる実施例を示す単純化図である。
【図４Ｃ】アンテナと移動可能な遮蔽層を有し、従って、移動可能な遮蔽層が衣服の袖に組込まれたシャツ状の衣服の更なる実施例を示す単純化図である。
【図５】本発明に応じて構成された衣服の本体部の一部を示す断面図である。
【図１】
2005523599.tif 000003
【図２Ａ】
2005523599.tif 000004
【図２Ｂ】
2005523599.tif 000005
【図２Ｃ】
2005523599.tif 000006
【図３Ａ】
2005523599.tif 000007
【図３Ｂ】
2005523599.tif 000008
【図４Ａ】
2005523599.tif 000009
【図４Ｂ】
2005523599.tif 000010
【図４Ｃ】
2005523599.tif 000011
【図５】
2005523599.tif 000012
【国際調査報告】
2005523599.tif 000013
2005523599.tif 000014
2005523599.tif 000015